(57)【要約】      （修正有）【課題】容易に揉む、掻く、梳く、擦るようにマッサージすることが可能であるヘアブラシを提供する。【解決手段】ヘアブラシは、ブラシ部１０と把持部２０とを備え、ブラシ部１０は、複数のブラシ１１をブラシ台座１２に設けた構成であり、把持部２０とブラシ台座１２は、可とう性を有する材料で一体に成形され、把持部２０を使用者の把持力で変形させ、把持部２０にブラシ台座１２が連動して変形し、ブラシ１１が移動可能であり、人体頭部にブラシ１１を押圧接触させてブラシングする。【選択図】図１
2016123723.tif 000002
【特許請求の範囲】
【請求項１】
ブラシ部と把持部とを備え、
前記ブラシ部は、複数のブラシをブラシ台座に設けた構成であり、
前記把持部と前記ブラシ台座は、可とう性を有する材料で一体に成形され、
前記把持部を使用者の把持力で変形させ、
前記把持部に前記ブラシ台座が連動して変形し、前記ブラシが移動可能であり、
人体頭部に前記ブラシを押圧接触させてブラシングすることを特徴とするヘアブラシ。
【請求項２】
前記ブラシ部は、前記ブラシ台座は方形の平面を有し、方形平面の中心線の左右に前記ブラシを外方へ向くように設けたことを特徴とする請求項１に記載のヘアブラシ。
【請求項３】
前記把持部に、前記ブラシ台座の変形を促進させる制御部を設けたことを特徴とする請求項１または請求項２に記載のヘアブラシ。
【請求項４】
前記ブラシ台座に、前記ブラシ台座の変形を促進させる制御部を設けたことを特徴とする請求項１または請求項２に記載のヘアブラシ。
【請求項５】
前記把持部に、前記ブラシ台座の変形量を調整する変形量調整部を設けたことを特徴とする請求項１または請求項２に記載のヘアブラシ。
【発明の詳細な説明】
【技術分野】
【０００１】
この発明は、人体頭部に押圧接触させてブラシングするヘアブラシに関する。
【背景技術】
【０００２】
一般的にヘアブラシは、ブラシ部と把持部とを備え、ブラシ部には、毛髪をブラッシングするブリッスルとしての多数のブラシピンやブラシ毛が起立状態で植毛されたものが周知である。
【０００３】
このようなヘアブラシでは、長手方向両端側（先端側及び根元側）のブリッスルが毛髪に接触しづらいので、毛髪とブリッスルとの接触領域が狭く、その結果、一度にできるブラッシングの範囲が狭いものとなっていた。
【０００４】
そこで、ブリッスル全体が毛髪と均等に接触して一度にできるブラッシングの範囲が  広くできるものが提案されている。（例えば、特許文献１）。
【先行技術文献】
【特許文献】
【０００５】
【特許文献１】特開２０１３−２４０４３４号公報
【発明の概要】
【発明が解決しようとする課題】
【０００６】
しかしながら、このようなヘアブラシでは、ブラシ毛が密接した状態で固定されているため、ブラシ毛間に毛髪が挟まりやすく、挟まって傷付いた毛髪が枝毛になりすやい。しかも、ブラシ毛が密接していると、毛髪との摩擦が大きく、強い力でないとブラッシングができない。しかも、毛髪が通りにくいため、ブラシ毛が頭皮に到達しにくく、毛根、毛穴まできれいに清掃することができない。
【０００７】
また、髪と頭皮にためにマッサージすると、地肌のコリをほぐし、血行を促進することで、地肌からの老廃物の排出を促して毛穴のつまりを取り除くことができるが、従来のヘアブラシではマッサージすることができなかった。
【０００８】
この発明はこれら従来の問題点を解消し、容易に、揉む、掻く、梳く、擦るようにマッサージすることが可能なヘアブラシを提供することを目的とするものである。
【課題を解決するための手段】
【０００９】
前記課題を解決し、かつ目的を達成するために、この発明は、以下のように構成した。
【００１０】
請求項１に記載の発明は、ブラシ部と把持部とを備え、
前記ブラシ部は、複数のブラシをブラシ台座に設けた構成であり、
前記把持部と前記ブラシ台座は、可とう性を有する材料で一体に成形され、
前記把持部を使用者の把持力で変形させ、
前記把持部に前記ブラシ台座が連動して変形し、前記ブラシが移動可能であり、
人体頭部に前記ブラシを押圧接触させてブラシングすることを特徴とするヘアブラシである。
【００１１】
請求項２に記載の発明は、前記ブラシ部は、前記ブラシ台座は方形の平面を有し、方形平面の中心線の左右に前記ブラシを外方へ向くように設けたことを特徴とする請求項１に記載のヘアブラシである。
【００１２】
請求項３に記載の発明は、前記把持部に、前記ブラシ台座の変形を促進させる制御部を設けたことを特徴とする請求項１または請求項２に記載のヘアブラシである。
【００１３】
請求項４に記載の発明は、前記ブラシ台座に、前記ブラシ台座の変形を促進させる制御部を設けたことを特徴とする請求項１または請求項２に記載のヘアブラシである。
【００１４】
請求項５に記載の発明は、前記把持部に、前記ブラシ台座の変形量を調整する変形量調整部を設けたことを特徴とする請求項１または請求項２に記載のヘアブラシである。
【発明の効果】
【００１５】
前記構成により、この発明は、以下のような効果を有する。
【００１６】
請求項１に記載の発明では、把持部とブラシ台座は、可とう性を有する材料で一体に成形され、把持部を使用者の把持力で変形させ、把持部にブラシ台座が連動して変形し、ブラシが移動可能であり、人体頭部に前記ブラシを押圧接触させてブラシングすることで、容易に揉む、掻く、梳く、擦るようにマッサージすることが可能であり、毛根、毛穴まできれいに清掃し、しかも地肌のコリをほぐし、血行を促進することで、地肌からの老廃物の排出を促して毛穴のつまりを取り除くことができる。
【００１７】
請求項２に記載の発明では、ブラシ部は、ブラシ台座は方形の平面を有し、方形平面の中心線の左右にブラシを外方へ向くように設けたことで、ブラシ台座が把持部に連動して変形しブラシを大きく移動させ、人体頭部の広範囲に押圧接触させてブラシングし、かつ揉む、掻く、梳く、擦るようにマッサージすることが可能である。
【００１８】
請求項３に記載の発明では、把持部に、ブラシ台座の変形を促進させる制御部を設けたことで、把持部に連動して変形が促進されてブラシが大きく移動し、人体頭部の広範囲に押圧接触させてブラシングし、かつ揉む、掻く、梳く、擦るようにマッサージすることが可能である。
【００１９】
請求項４に記載の発明では、ブラシ台座に、ブラシ台座の変形を促進させる制御部を設けたことで、把持部に連動して変形が促進されてブラシが大きく移動し、人体頭部の広範囲に押圧接触させてブラシングし、かつ揉む、掻く、梳く、擦るようにマッサージすることが可能である。
【００２０】
請求項５に記載の発明では、把持部に、ブラシ台座の変形量を調整する変形量調整部を設けたことで、把持部に連動して変形量が調整されてブラシが移動し、人体頭部に押圧接触させてブラシングし、かつ揉む、掻く、梳く、擦るようにマッサージすることが可能である。
【図面の簡単な説明】
【００２１】
【図１】第１の実施の形態のヘアブラシを示す図である。
【図２】ブラシ台座を示す図である。
【図３】第２の実施の形態のヘアブラシを示す図である。
【図４】他の実施の形態のヘアブラシを示す図である。
【図５】他の実施の形態のヘアブラシを示す図である。
【図６】他の実施の形態のヘアブラシを示す図である。
【図７】他の実施の形態のヘアブラシを示す図である。
【図８】第３の実施の形態のヘアブラシを示す図である。
【図９】他の実施の形態のヘアブラシを示す図である。
【図１０】第４の実施の形態のヘアブラシを示す図である。
【図１１】他の実施の形態のヘアブラシを示す図である。
【図１２】他の実施の形態のヘアブラシを示す図である。
【図１３】他の実施の形態のヘアブラシを示す図である。
【図１４】ヘアブラシの外形構成を示す図である。
【図１５】ブラシの傾斜構成を示す図である。
【図１６】ブラシの傾斜構成を示す図である。
【図１７】ブラシの傾斜構成を示す図である。
【図１８】ブラシの構成を示す図である。
【図１９】ブラシの種類を示す図である。
【発明を実施するための形態】
【００２２】
以下、この発明のヘアブラシの実施の形態について説明する。この発明の実施の形態は、発明の最も好ましい形態を示すものであり、この発明はこれに限定されない。
【００２３】
（第１の実施の形態）
この実施の形態のヘアブラシは図１に示すように構成され、図１（ａ）はヘアブラシの正面図、図１（ｂ）はヘアブラシの平面図、図１（ｃ）はヘアブラシの側面図である。
【００２４】
このヘアブラシ１は、ブラシ部１０と把持部２０とを備え、ブラシ部１０と把持部２０はゴムまたは樹脂で一体に成形される。ブラシ部１０は、複数のブラシ１１とブラシ台座１２を有し、把持部２０とブラシ台座１２及びブラシ１１は、可とう性を有する材料で一体に成形される。ブラシ台座１２は、方形の平面を有し、方形平面の中心線の左右にブラシ１１を外方へ向くように設けている。ブラシ台座１２の両側部に把持部２０の脚部２０ａが一体化され、この脚部２０ａの下方は接続しないで解放されており、使用者の把持力で脚部２０ａを近づけるように変形させると、ブラシ台座１２が把持部２０の脚部２０ａに連動して中央部が盛り上がるように変形しブラシ１１が両側に開くように移動可能であり、人体頭部にブラシ１１を押圧接触させてブラシングすることができる。  
【００２５】
このヘアブラシ１の使用は、使用者が把持部２０の脚部２０ａを片手で持ち、ブラシ１１の先端部を、人体頭部に押圧接触させ、使用者の把持力で脚部２０ａを近づけるように変形させると、ブラシ台座１２が脚部２０ａに連動して中央部が盛り上がるように変形しブラシ１１が両側に開くように移動し、人体頭部にブラシ１１を押圧接触させてブラシングすることができる。ブラシングでは、人体頭部に沿って掻きながら擦りながらブラシ１１の先端が移動し、掻く、擦るの効果を得ながら任意の位置に固定して小さく動き振るわすことで揉む効果を生み出すことができる。また、脚部２０ａの横の押し加減でブラシ１１の開き具合が異なる。ブラシ１１の開き具合が異なるとブラシ１１の先端の掻き擦りが強く当ったり弱く当たることになり、使用感でブラシ１１の先端の当たりの強弱を選定でき、また体調とか使う時の気分によって強く使いたいか弱く使いたいか使用者の強弱を選定できる。このようにして、ブラシ１１の先端部からブラシ１１の中間部に向けて人体頭部に押圧接触させることができ、複数個のブラシ１１によって人体頭部を、揉む、掻く、梳く、擦るようにマッサージすることが可能であり、毛根、毛穴まできれいに清掃し、しかも地肌のコリをほぐし、血行を促進することで、地肌からの老廃物の排出を促して毛穴のつまりを取り除くことができる。
【００２６】
ここで、掻く、擦るは、ブラシ１１の先端部を、Ａ：頭皮に当て、Ｂ：先端部が開き、Ｃ：先端部が頭の丸味に添って移動し、Ｄ：先端部が頭の丸い太い部分を通過して、Ｅ：押圧作動が止まるところまでの一連の動きである。揉むは、先端部を上の一連の動きのどこでも約１ｃｍから約５ｃｍの間の往復又は回転あるいは縦回転又は斜めに又は振動のような部分の先端部の押圧による動きである。梳くは、ブラシ１１全体を櫛で梳くように頭の前から後ろに或いは左横から右横方向に或いは斜めに頭全体にブラシ１１で髪の毛を梳く動きである。
【００２７】
可とう性の構成材料は、マッサージすることができるだけの強度と柔軟性を併せ持つ材料であればよく、例えばポリアミド系繊維樹脂、ポリエチレン樹脂、塩化ビニル樹脂、ＥＶＡ樹脂、ポリエステル樹脂、ポリイミド樹脂、ポリエチレンテレフタレート樹脂、セルロース樹脂、ポリテトラフルオロエチレン樹脂、ポリプロピレン樹脂などからなる樹脂やシリコンゴム、ＮＢＲゴム、ＣＲゴム、ブタジコンゴム、ブチルゴム、アクリルゴム、ブタジエンゴム、ウレタンゴムなどのゴムが挙げられる。また、エラストマー、その他、半硬質、軟質プラスチックが挙げられる。
【００２８】
可とう性の構成材料の物性としては、弾力性があること、復元力があること、耐摩耗性があること、使用目的で異なるが全てに以上の３点が重要であり、髪は頭皮への強用にあっては、耐薬性、耐アルコール、耐溶剤の材料を使用する。
【００２９】
ブラシ台座の平面図は、図２に示すように構成することができ、図２（ａ）はブラシ台座の平面図、図２（ｂ）はブラシ台座の断面図である。この実施の形態では、ブラシ台座１２の平面部１２ａの両側に横梁部１２ｂを設け、両側の横梁部１２ｂの間に長手方向に梁１２ｃを所定間隔で設け、この梁１２ｃの間にブラシ１１を設けるように構成される。このように構成することで、ブラシ台座１２を容易に中央部が盛り上がるように変形し、ブラシ１１が両側に開くように移動する。
【００３０】
（第２の実施の形態）
この実施の形態のヘアブラシは、図３及び図４に示すように構成される。図３の実施の形態では、図３（ａ）は使用前の状態を示し、図３（ｂ）は使用時の状態を示す。この実施の形態では、第１の実施の形態と同様な構成は、同じ符号を付して説明を省略するが、ブラシ台座１２の両側部に把持部２０の胴部２０ｂが一体化されている。胴部２０ｂを両側から握り締めると上側が凹み、ブラシ台座１２が把持部２０の胴部２０ｂに連動して中央部が盛り上がるように変形し、ブラシ１１が両側に開くように移動し、人体頭部にブラシ１１を押圧接触させてブラシングすることができる。
【００３１】
図４の実施の形態では、図４（ａ）は使用前の状態を示し、図４（ｂ）は開く時の状態を示し、図４（ｃ）は閉じ時の状態を示す。この実施の形態では、第１の実施の形態と同様な構成は、同じ符号を付して説明を省略するが、胴部２０ｂの首部２０ｂ１が広幅で薄肉に形成されている。使用時に、胴部２０ｂの首部２０ｂ１の下部を握るように押すと、ブラシ台座１２の中央部が盛り上がるように変形し、ブラシ１１が両側に開くように移動する（図４（ｂ））。一方、胴部２０ｂの首部２０ｂ１の上部を斜め上方へ向けて押すと、ブラシ台座１２の中央部が凹むように変形し、ブラシ１１が閉じて中央に集まるように移動する（図４（ｃ））。このように、胴部２０ｂの首部２０ｂ１の押し仕方によってブラシ１１が異なる方向へ移動するから、揉む、掻く、梳く、擦るようにマッサージする加減を調整することができる。
【００３２】
（第２の実施の形態）
この実施の形態のヘアブラシは図５乃至図７に示すように構成される。図５の実施の形態では、図５（ａ）はヘアブラシの正面図、図５（ｂ）はヘアブラシの平面図、図５（ｃ）はヘアブラシの側面図である。この実施の形態は、第１の実施の形態と同様な構成は、同じ符号を付して説明を省略するが、ブラシ台座１２は、方形の平面を有し、この方形平面に基部１１ａを立ち上げ、この基部１１ａに方形平面の中心線の左右にブラシ１１を外方へ向くように設けている。
【００３３】
ブラシ台座１２の両側部に把持部２０の胴部２０ｂが一体化され、この胴部２０ｂの下方は薄肉にして薄肉部２０ｃを設けている。この薄肉部２０ｃがブラシ台座１２の変形を促進させる制御部を構成している。使用時に、把持部２０の胴部２０ｂを握り締めると、薄肉部２０ｃが外方向に曲がり、この胴部２０ｂによってブラシ台座１２の変形を促進させる。このように、ブラシ台座１２が把持部２０の胴部２０ｂに連動して中央部が盛り上がるように変形しブラシ１１が両側に開くように移動可能であり、人体頭部にブラシ１１を押圧接触させてブラシングすることができる。
【００３４】
図６の実施の形態では、図６（ａ）は使用前の状態を示し、図６（ｂ）は開く時の状態を示し、図６（ｃ）は閉じ時の状態を示す。この実施の形態では、ブラシ台座１２の両側部に把持部２０の胴部２０ｂが一体化され、この胴部２０ｂの下方には曲げ部２０ｄを設け、胴部２０ｂの中央部に横梁部２０ｅを設け、この曲げ部２０ｄと横梁部２０ｅがブラシ台座１２の変形を促進させる制御部を構成している。使用時に、胴部２０ｂの首部２０ｂ１を握り締めると、横梁部２０ｅが支点となって曲げ部２０ｄが伸びてブラシ台座１２の中央部が盛り上がるように変形し、ブラシ１１が両側に開くように移動する（図６（ｂ））。一方、胴部２０ｂの下部を握り締めると、横梁部２０ｅが支点となって曲げ部２０ｄが縮みブラシ台座１２の中央部が凹むように変形し、ブラシ１１が内側に閉じるように移動する（図６（ｃ））。
【００３５】
図７の実施の形態では、図７（ａ）は使用前の状態を示し、図７（ｂ）はブラシを平らに開く時の状態を示し、図７（ｃ）はブラシを開く時の状態を示し、図７（ｄ）はブラシを大きく開く時の状態を示す。この実施の形態では、ブラシ台座１２の両側部に把持部２０の胴部２０ｂが一体化され、ブラシ台座１２の中央部が内側に屈曲され、胴部２０ｂの下方には曲げ部２０ｄを設け、胴部２０ｂの中央部に縦梁部２０ｆを設け、この曲げ部２０ｄと縦梁部２０ｆがブラシ台座１２の変形を促進させる制御部を構成している。通常は、ブラシ１１が内側に向いた状態であるが（図７（ａ））、胴部２０ｂの下部を握り締めると、曲げ部２０ｄが内側に曲がり縦梁部２０ｆを押し上げ、この縦梁部２０ｆによってブラシ台座１２の中央部が押されて平らになり、ブラシ１１が開き平らになる（図７（ｂ））。さらに、胴部２０ｂの下部を強く握り締めると、曲げ部２０ｄがより内側に曲がり縦梁部２０ｆを押し上げ、この縦梁部２０ｆによってブラシ台座１２の中央部が押されて盛り上がるように変形し、ブラシ１１が両側に開くように移動する（図７（ｃ））。さらに、胴部２０ｂの下部を強く握り締めると、同様にブラシ台座１２の中央部が押されてさらに盛り上がるように変形し、ブラシ１１が両側に大きく開くように移動する（図７（ｄ））。胴部２０ｂの握り締めることを止めると、元の状態に復帰する（図７（ａ））。
【００３６】
（第３の実施の形態）
この実施の形態のヘアブラシは図８及び図９に示すように構成される。図８の実施の形態は、第２の実施の形態と同様な構成は、同じ符号を付して説明を省略するが、ブラシ台座１２に、ブラシ台座１２の変形を促進させる制御部を設けた構成である。
【００３７】
図８（ａ）の実施の形態では、ブラシ台座１２の中央部に内側に突出する屈曲部１２ｄを設け、この屈曲部１２ｄがブラシ台座１２の変形を促進させる制御部を構成する。使用時に、把持部２０の胴部２０ｂを握り締めると、薄肉部２０ｃが内方向に曲がり、屈曲部１２ｄが伸びてブラシ台座１２の変形を促進させ、ブラシ１１が両側に開くように移動可能であり、人体頭部にブラシ１１を押圧接触させてブラシングすることができる。
【００３８】
図８（ｂ）の実施の形態では、図８（ａ）の実施の形態と同様に構成されるが、ブラシ台座１２に内側に突出する屈曲部１２ｄを複数個設け、把持部２０の胴部２０ｂに薄肉部２０ｃを複数個設けたものである。    
【００３９】
図８（ｃ）の実施の形態では、ブラシ台座１２の中央部外側にＶ字状溝部１２ｅを設け、このＶ字状溝部１２ｅがブラシ台座１２の変形を促進させる制御部を構成する。使用時に、把持部２０の胴部２０ｂを握り締めると、Ｖ字状溝部１２ｅが開き、ブラシ台座１２の変形を促進させ、ブラシ１１が両側に開くように移動可能であり、人体頭部にブラシ１１を押圧接触させてブラシングすることができる。
【００４０】
図８（ｄ）の実施の形態では、図８（ｃ）の実施の形態と同様に構成されるが、ブラシ台座１２にＶ字状溝部１２ｅを複数個設けたものである。
【００４１】
図８（ｅ）の実施の形態では、ブラシ台座１２の中央部の内側にＶ字状溝部１２ｆを設け、このＶ字状溝部１２ｆがブラシ台座１２の変形を促進させる制御部を構成する。使用時に、把持部２０の胴部２０ｂを握り締めると、Ｖ字状溝部１２ｆが閉じてブラシ台座１２の変形を促進させ、ブラシ１１が両側に開くように移動可能であり、人体頭部にブラシ１１を押圧接触させてブラシングすることができる。
【００４２】
図８（ｆ）の実施の形態では、図８（ｅ）の実施の形態と同様に構成されるが、ブラシ台座１２の内側にＶ字状溝部１２ｆを複数個設けたものである。
【００４３】
図８（ｇ）の実施の形態では、ブラシ台座１２の内側をくり抜き薄肉部１２ｇを設け、この薄肉部１２ｇがブラシ台座１２の変形を促進させる制御部を構成する。使用時に、把持部２０の胴部２０ｂを握り締めると、薄肉部１２ｇが曲がってブラシ台座１２の変形を促進させ、ブラシ１１が両側に開くように移動可能であり、人体頭部にブラシ１１を押圧接触させてブラシングすることができる。
【００４４】
（第４の実施の形態）
この実施の形態のヘアブラシは図９乃至図１３に示すように構成される。図９の実施の形態は、第２の実施の形態と同様な構成は、同じ符号を付して説明を省略するが、把持部２０に、ブラシ台座１２の変形量を調整する変形量調整部を設けた構成である。変形量調整部は、把持部２０の胴部２０ｂに変形量調整プレート２１を配置した構成であり、変形量調整プレート２１は、金属プレートまたは樹脂プレートを用いて補強している。図９（ａ）の実施の形態は、胴部２０ｂの底部に沿って曲げた変形量調整プレート２１を配置して補強し、図９（ｂ）の実施の形態は、胴部２０ｂの底部がなく変形量調整プレート２１を取り付けて補強し、図９（ｃ）の実施の形態は、胴部２０ｂにくの字状に曲げた変形量調整プレート２１を配置して補強している。胴部２０ｂを握り締めると、胴部２０ｂの側壁が内側に倒れてブラシ台座１２の中央部が盛り上がるように変形し、ブラシ１１が両側に開くように移動し、胴部２０ｂの握り締めることを止めると、元の状態に復帰し、変形量調整プレート２１がブラシ台座１２の変形量を調整する。
【００４５】
図１０の実施の形態は、第２の実施の形態と同様な構成は、同じ符号を付して説明を省略するが、変形量調整部は、把持部２０の胴部２０ｂに変形量調整ねじ軸２２とナット２３を配置した構成である。図１０（ａ）の実施の形態は、胴部２０ｂの側壁中央部に変形量調整ねじ軸２２を配置し、側壁から突出するねじ部にナット２３を螺着し、このナット２３の螺着量によって胴部２０ｂの側壁が内側に倒れてブラシ台座１２の中央部が盛り上がるように変形し、ブラシ１１が両側に開く移動量を調整する。図１０（ｂ）の実施の形態は、図１０（ａ）の実施の形態と同様に構成されるが、カラー一体ナット２４を螺着し、このカラー一体ナット２４の螺着量によって胴部２０ｂの側壁が内側に倒れ、あるいは外側に引かれてブラシ台座１２の中央部が盛り上がるように変形し、ブラシ１１が両側に開く移動量を調整する。
【００４６】
図１１の実施の形態は、第２の実施の形態と同様な構成は、同じ符号を付して説明を省略するが、変形量調整部は、把持部２０の胴部２０ｂに変形量調整ねじ軸２５とカラー一体ナット２６を配置した構成である。変形量調整ねじ軸２５をブラシ台座１２の中央部に固定し、変形量調整ねじ軸２５のねじ部２５ａが胴部２０ｂの底部を内側に凹ませた部分２０ｉから外方向へ突出し、このねじ部２５ａにカラー一体ナット２６を螺着している。通常では、ブラシ台座１２の中央部が平らであり、ブラシ１１も平らになっている（図１１（ａ））。使用時に、カラー一体ナット２６を回転すると、変形量調整ねじ軸２５が上方へ移動してブラシ台座１２の中央部を盛り上がるように変形させ、ブラシ１１が両側に開くように移動する（図１１（ｂ））。一方、カラー一体ナット２６を逆方向に回転すると、変形量調整ねじ軸２５が下方へ移動してブラシ台座１２の中央部を凹むように変形させ、ブラシ１１が両側に閉じるように移動する（図１１（ｃ））。変形量調整部は、図１１（ｄ）に示すように、変形量調整ねじ軸２５をブラシ台座１２の中央部に回動可能に連結し、変形量調整ねじ軸２５を回転することで、ブラシ台座１２の中央部を押し上げたり、引くようにして凹むように変形させることができる。
【００４７】
図１２及び図１３の実施の形態では、図１３（ａ）はヘアブラシの平面図、図１３（ｂ）はヘアブラシの側面図、図１３（ｃ）はヘアブラシの断面図、図１４（ａ）はヘアブラシのブラシが平らな状態を示す図、図１４（ｂ）はヘアブラシのブラシが開いた状態を示す図である。
【００４８】
この実施の形態では、ブラシ部１０は、円盤状のブラシ台座１２を有し、このブラシ台座１２を中心にして４方向に組付部１３が延びる構成である。組付部１３には組み付けのためのＶ字状溝部１２ｈが形成され、ブラシ台座１２の中心部には変形を促進するための半円形の凹み１２ｉが形成されている。
【００４９】
ブラシ部１０は、図１３（ａ），  （ｂ）に示すように、組付部１３を折り曲げて把持部２０のねじ部２０ｋに、組付部１３のねじ部１３ａを螺着して組み付ける。図１３（ａ）の状態では、把持部２０がブラシ台座１２を押さないためにブラシ台座１２が平面状態である。図１３（ｂ）の状態では、把持部２０がブラシ台座１２を押す状態であり、ブラシ１１はブラシ台座１２の中央部が盛り上がるように変形し、ブラシ１１が両側に開くように移動し、ブラシ台座１２の変形を促進させる制御部を構成する。
【００５０】
［ヘアブラシの外形構成］
第１乃至第４の実施の形態のヘアブラシは、図１４に示すようなブラシの外形構成にすることができる。図１４（ａ）の実施の形態は、四角箱体の把持部２０に予めブラシ１１を４方に角度をつけて設け、中央空間Ｋが形成されている。ブラシ１１の角度は５度〜３５度の間が好ましく、把持部２０を押圧することでブラシ１１が倒れたり、戻りの繰り返しで揉む、掻く、梳く、擦るようにマッサージする。図１４（ｂ）の実施の形態は、把持部２０が楕円箱体である。図１４（ｃ）の実施の形態は、四角箱体の把持部２０が前後中央に分割され、前後部ではブラシ１１を直立させ、中央部ではブラシ１１を外方に傾斜させて中央空間Ｋが形成され、中央部を押圧することでブラシ１１が倒れたり、戻りの繰り返しで揉む、掻く、梳く、擦るようにマッサージする。図１４（ｄ）の実施の形態は、楕円箱体の把持部２０が前後中央に分割され、図１４（ｃ）の実施の形態と同様に構成される。図１４（ｅ）の実施の形態は、円盤箱体の把持部２０であり、図１４（ｆ）の実施の形態刃、薄板箱体の把持部２０であり、ブラシ１１は図１４（ａ）の実施の形態と同様に設けられる。
【００５１】
［ブラシの傾斜構成］
ヘアブラシのブラシは、図１５乃至図１７に示すようなブラシの傾斜構成にすることができ、ブラシの傾斜角度は、１５度〜３５度が好ましい。図１５（ａ）の実施の形態は、ブラシ１１の傾斜角度が小さく、中央空間Ｋが形成され、図１５（ｂ）の実施の形態は、中央空間Ｋがなくてブラシ１１が交差されている。図１５（ｃ）の実施の形態は、ブラシ１１の傾斜角度が大きく、中央空間Ｋが形成され、図１５（ｄ）の実施の形態は、中央空間Ｋがなくてブラシ１１が交差されている。このヘアブラシは、図１７に示すように、始めはブラシ１１を人体頭部に押圧接触させ（図１７（ａ））、押圧することでブラシ１１が人体頭部の丸みに沿って移動し、掻く、揉む、掻く、梳く、擦ることができる（図１７（ｂ），（ｃ））。このブラシ１１の広がり、戻りは、図１８に示すようになる。ブラシ１１が傾斜していない場合には、先端が人体頭部に突き当たり、左右に移動しない（図１８（ａ））。ブラシ１１の傾斜角度が、１０度以下の場合でも、先端が人体頭部に突き当たることがあり、左右に移動しにくい（図１８（ｂ））。ブラシ１１の傾斜角度が、１５度〜３５度の場合には、押圧することでブラシ１１が人体頭部の丸みに沿って移動し、押圧を止めると元に戻り、この繰り返しで掻く、揉む、掻く、梳く、擦ることができる（図１８（ｃ），（ｄ）  ，（ｅ））。人体頭部に対してブラシが上下動、また左右動、また前後動によって開いたり縮んだりして揉む、掻く、梳く、擦るを連動する。また、同一場所で震動バイブレーション動作を併用することもできる。ブラシの材質、太さ、長さ、形状等々の選択によって多彩な効果を得ることができる。また、ブラシの中心又はブラシ内の複数個所からスプレーポンプ等によって養毛剤やヘアートニック等の整髪料を同時塗布するに薬液入りボトル、ポンプ等をブラシ裏側に設けて同時に実行するようにしてもよい。
【００５２】
［ブラシの構成］
ヘアブラシのブラシは、図１８に示すようなブラシ構成にすることができる。図１８（ａ）の実施の形態は、直線状であり、図１８（ｂ）の実施の形態は、起こした弓状であり、図１８（ｃ）の実施の形態は、寝かせた弓状であり、図１８（ｄ）の実施の形態は、くの字状であり、図１８（ｅ）の実施の形態は、先端がくの状であり、図１８（ｆ）の実施の形態は、先端に玉が形成され、図１８（ｇ）の実施の形態は、先端に種々の形状が一体形成された構成である。
【００５３】
［ブラシの種類］
ヘアブラシのブラシは、図１９に示すようなブラシを用いることができる。図１９    （ａ）の実施の形態は、ブラシ１１が細く、ブラシ台座と樹脂一体成形であり、図１９（ｂ）の実施の形態は、ブラシ１１が太く、ブラシ台座と樹脂一体成形であり、図１９（ｃ）の実施の形態は、ブラシ１１が太く孔あきで、ブラシ台座と樹脂一体成形であり、図１９（ｄ）の実施の形態は、樹脂成形のブラシ１１をブラシ台座に埋め込み、図１９（ｅ）の実施の形態は、図１９（ｄ）の実施の形態と同様に構成されるが、ブラシの先端に玉が形成された構成である。
【００５４】
このブラシは、成形の使用材料の硬度が高いほど広がりが小さく、広がりが小さいと、掻く、擦るが僅かでほとんど押圧の力でマッサージが主体となる。成形の使用材料の硬度が低いと柔らかく、ブラシの広がりが大きく外方向に先端部が伸びて曲面部で掻かれ擦られる。このように、マッサージが主体か掻かれ擦られることが主体かは使用材料硬度の選定による。ブラシの間隔を２．５ｍｍ以上９．０ｍｍの間を設定して並列かジグザグ整列にブラシ台座に設けることができる。
【００５５】
この実施の形態のヘアブラシ１は、人体頭部全体に全体表面どの角度からも使用して、揉む、掻く、梳く、擦るようにマッサージすることが可能であり、毛根、毛穴まできれいに清掃し、しかも地肌のコリをほぐし、血行を促進することで、地肌からの老廃物の排出を促して毛穴のつまりを取り除くことができる。
【産業上の利用可能性】
【００５６】
この発明は、人体頭部に押圧接触させてブラシングするヘアブラシに適用でき、容易に揉む、掻く、梳く、擦るようにマッサージすることが可能である。
【符号の説明】
【００５７】
１  ヘアブラシ
１０  ブラシ部１１  ブラシ
１２  ブラシ台座
１２ａ平面部
１２ｂ  横梁部
１２ｃ  梁
１２ｆ，  １２ｇ  Ｖ字状溝部
１３  ねじ部
２０  把持部
２０ａ  脚部
２０ｂ  胴部
２０ｂ１  首部
２０ｃ  薄肉部
２０ｄ  曲げ部
２０ｅ横梁部
２０ｆ  縦梁部
２１  変形量調整プレート
２２，２５  変形量調整ねじ軸
２３  ナット
２４  カラー一体ナット
【図１】
2016123723.tif 000003
【図２】
2016123723.tif 000004
【図３】
2016123723.tif 000005
【図４】
2016123723.tif 000006
【図５】
2016123723.tif 000007
【図６】
2016123723.tif 000008
【図７】
2016123723.tif 000009
【図８】
2016123723.tif 000010
【図９】
2016123723.tif 000011
【図１０】
2016123723.tif 000012
【図１１】
2016123723.tif 000013
【図１２】
2016123723.tif 000014
【図１３】
2016123723.tif 000015
【図１４】
2016123723.tif 000016
【図１５】
2016123723.tif 000017
【図１６】
2016123723.tif 000018
【図１７】
2016123723.tif 000019
【図１８】
2016123723.tif 000020
【図１９】
2016123723.tif 000021